(57)【要約】【課題】  テスト光信号による受信器の破損が防止された伝送装置及び光ファイバの接続確認方法を提供する。【解決手段】  伝送装置は、所定波長のテスト光信号を送信する送信部と、前記送信部から光ファイバを介して、前記テスト光信号を受信する受信部とを有し、前記受信部は、前記光ファイバから入力された光のうち、前記所定波長の帯域を有する光成分を透過するフィルタと、前記光成分を減衰させる可変光減衰器と、前記フィルタによる透過前の光のパワーを測定する第１測定部と、前記可変光減衰器による減衰後の前記光成分のパワーを測定する第２測定部と、前記第１測定部及び前記第２測定部により測定された各パワーの差分を検出する検出部と、前記差分が所定の閾値以上である場合、前記可変光減衰器の減衰率を増加させる制御部とを有する。【選択図】図２
2017073739.tif 000002
【特許請求の範囲】
【請求項１】
所定波長のテスト光信号を送信する送信部と、
前記送信部から光ファイバを介して、前記テスト光信号を受信する受信部とを有し、
前記受信部は、
前記光ファイバから入力された光のうち、前記所定波長の帯域を有する光成分を透過するフィルタと、
前記光成分を減衰させる可変光減衰器と、
前記フィルタによる透過前の光のパワーを測定する第１測定部と、
前記可変光減衰器による減衰後の前記光成分のパワーを測定する第２測定部と、
前記第１測定部及び前記第２測定部により測定された各パワーの差分を検出する検出部と、
前記差分が所定の閾値以上である場合、前記可変光減衰器の減衰率を増加させる制御部とを有することを特徴とする伝送装置。
【請求項２】
前記制御部は、前記差分が前記所定の閾値より小さい場合、前記第２測定部により測定されたパワーが所定値となるように前記可変光減衰器の減衰率を制御することを特徴とする請求項１に記載の伝送装置。
【請求項３】
所定波長のテスト光信号を送信する送信部と、
前記送信部から光ファイバを介して、前記テスト光信号を受信する受信部とを有し、
前記受信部は、
前記光ファイバから入力された光のうち、前記所定波長の帯域を有する光成分を透過するフィルタと、
前記光成分を減衰させる可変光減衰器と、
前記フィルタによる透過前の光のパワーを測定する第１測定部と、
前記可変光減衰器による減衰後の前記光成分のパワーを測定する第２測定部と、
前記第１測定部により測定されたパワーに対する前記第２測定部により測定されたパワーの比を検出する検出部と、
前記比が所定の閾値以下である場合、前記可変光減衰器の減衰率を増加させる制御部とを有することを特徴とする伝送装置。
【請求項４】
送信部から所定波長のテスト光信号を、光ファイバを介して送信し、受信部で受信する光ファイバの接続確認方法において、
前記受信部は、
前記光ファイバから入力された光のうち、前記所定波長の帯域を有する光成分を、フィルタにより透過し、
可変光減衰器により前記光成分を減衰させ、
前記フィルタによる透過前の光のパワーを測定し、
前記可変光減衰器による減衰後の前記光成分のパワーを測定し、
測定した各パワーの差分を検出し、
前記差分が所定の閾値以上である場合、前記可変光減衰器の減衰率を増加させることを特徴とする光ファイバの接続確認方法。
【発明の詳細な説明】
【技術分野】
【０００１】
本件は、伝送装置及び光ファイバの接続確認方法に関する。
【背景技術】
【０００２】
ＲＯＡＤＭ（Reconfigurable Optical Add and Drop Multiplexer）装置は、波長が異なる複数の光信号を多重して伝送する。ＲＯＡＤＭ装置は、ネットワーク内の多数の方路と接続されており、波長ごとに光信号を挿入及び分岐する光クロスコネクトユニットが、方路ごとに設けられている。
【０００３】
光クロスコネクトユニットは、他のユニットを経由する多数の光ファイバを介して、他または自己の光クロスコネクトユニットと接続されている。このため、ＲＯＡＤＭ装置の設置時または光信号回線の増設時、光クロスコネクトユニット間において試験用の光信号（以下、「テスト光信号」と表記）を送受信させることにより光ファイバの接続確認が行われる（例えば特許文献１参照）。このとき、受信側の光クロスコネクトユニットは、波長選択スイッチ（WSS: Wavelength Selective Switch）に内蔵された可変光減衰器（VOA: Variable Optical Attenuator）によりテスト光信号のパワーを、受信器のダイナミックレンジに応じた適切な値に調整する。
【先行技術文献】
【特許文献】
【０００４】
【特許文献１】特開２０１０−９８６７７号公報
【発明の概要】
【発明が解決しようとする課題】
【０００５】
光ファイバがＥＤＦＡ（Erbium-Doped Fiber Amplifier）を経由する場合、ＥＤＦＡから出力されるＡＳＥ（Amplified Spontaneous Emission）光が受信側の光クロスコネクトユニットに入力される。このため、受信側の光クロスコネクトユニットは、テスト光信号が送信された場合、テスト光信号とＡＳＥ光を受信し、テスト光信号が送信されていない場合、ＡＳＥ光だけを受信する。
【０００６】
しかし、受信側の光クロスコネクトユニットは、同一ユニット間でのテスト光信号の送受信でない限り、テスト光信号が送信中であるか否かを判断する手段がないため、ＡＳＥ光だけを受信している場合でも、テスト光信号と同様に、ＡＳＥ光を適切なパワーに調整する。このとき、ＡＳＥ光のパワーはテスト光信号より低いため、受信側の光クロスコネクトユニットのＶＯＡの減衰率は、テスト光信号のパワー調整の場合より低い値に制御される。
【０００７】
この状態において、テスト光信号が受信側の光クロスコネクトユニットに入力されると、受信側の光クロスコネクトユニットの受信器には、受信パワーの規格値を超える大きなパワーのテスト光信号が入力されるため、受信器が破損するおそれがある。
【０００８】
これに対して、送信側の光クロスコネクトユニットから受信側の光クロスコネクトユニットにテスト光信号の送信タイミングを通知すれば、受信側の光クロスコネクトユニットは、通知に応じてＶＯＡの減衰率を予め増加させることができるため、上記の問題は回避できる。しかし、この場合、光クロスコネクトユニットの間に新たな制御手段を設ける必要が生ずるため、ＲＯＡＤＭ装置のコスト及び規模が増加するという別の問題が生ずる。
【０００９】
また、受信側の光クロスコネクトユニットに光チャネルモニタを設ければ、波長単位のチャネルごとにパワーを監視し、監視結果に基づきテスト光信号の有無を判定することができるため、上記の問題は回避できる。しかし、光チャネルモニタは、大型であるだけでなく、高価であるため、ＲＯＡＤＭ装置のコスト及びサイズが増加するという別の問題が生ずる。
【００１０】
そこで本件は上記の課題に鑑みてなされたものであり、テスト光信号による受信器の破損が防止された伝送装置及び光ファイバの接続確認方法を提供することを目的とする。
【課題を解決するための手段】
【００１１】
本明細書に記載の伝送装置は、所定波長のテスト光信号を送信する送信部と、前記送信部から光ファイバを介して、前記テスト光信号を受信する受信部とを有し、前記受信部は、前記光ファイバから入力された光のうち、前記所定波長の帯域を有する光成分を透過するフィルタと、前記光成分を減衰させる可変光減衰器と、前記フィルタによる透過前の光のパワーを測定する第１測定部と、前記可変光減衰器による減衰後の前記光成分のパワーを測定する第２測定部と、前記第１測定部及び前記第２測定部により測定された各パワーの差分を検出する検出部と、前記差分が所定の閾値以上である場合、前記可変光減衰器の減衰率を増加させる制御部とを有する。
【００１２】
本明細書に記載の他の伝送装置は、所定波長のテスト光信号を送信する送信部と、前記送信部から光ファイバを介して、前記テスト光信号を受信する受信部とを有し、前記受信部は、前記光ファイバから入力された光のうち、前記所定波長の帯域を有する光成分を透過するフィルタと、前記光成分を減衰させる可変光減衰器と、前記フィルタによる透過前の光のパワーを測定する第１測定部と、前記可変光減衰器による減衰後の前記光成分のパワーを測定する第２測定部と、前記第１測定部により測定されたパワーに対する前記第２測定部により測定されたパワーの比を検出する検出部と、前記比が所定の閾値以下である場合、前記可変光減衰器の減衰率を増加させる制御部とを有する。
【００１３】
本明細書に記載の光ファイバの接続確認方法は、送信部から所定波長のテスト光信号を、光ファイバを介して送信し、受信部で受信する光ファイバの接続確認方法において、前記受信部は、前記光ファイバから入力された光のうち、前記所定波長の帯域を有する光成分を、フィルタにより透過し、可変光減衰器により前記光成分を減衰させ、前記フィルタによる透過前の光のパワーを測定し、前記可変光減衰器による減衰後の前記光成分のパワーを測定し、測定した各パワーの差分を検出し、前記差分が所定の閾値以上である場合、前記可変光減衰器の減衰率を増加させる方法である。
【発明の効果】
【００１４】
テスト光信号による受信器の破損を防止できる。
【図面の簡単な説明】
【００１５】
【図１】ＲＯＡＤＭ装置の一例を示す構成図である。
【図２】光クロスコネクトユニットの一例を示す構成図である。
【図３】光ファイバの接続確認方法の一例を示すフローチャートである。
【図４】ＡＳＥ光の波長スペクトルの一例を示す図である。（ａ）は、比較例におけるパワー調整前のＡＳＥ光の波長スペクトルの一例を示す。（ｂ）は、比較例におけるパワー調整後のＡＳＥ光の波長スペクトルの一例を示す。（ｃ）は、比較例におけるテスト光信号の入力時のＡＳＥ光及びテスト光信号の波長スペクトルの一例を示す。
【図５】波長スペクトルの一例を示す図である。（ａ）は、フィルタ通過前のＡＳＥ光の波長スペクトルの一例を示す。（ｂ）は、フィルタ通過後のＡＳＥ光の波長スペクトルの一例を示す。（ｃ）は、フィルタ通過前後のＡＳＥ光のパワーの差分の一例を示す。
【図６】波長スペクトルの一例を示す図である。（ａ）は、フィルタ通過前のＡＳＥ光及びテスト光信号の波長スペクトルの一例を示す。（ｂ）は、フィルタ通過後のＡＳＥ光及びテスト光信号の波長スペクトルの一例を示す。（ｃ）は、フィルタ通過前後のＡＳＥ光及びテスト光信号のパワーの差分の一例を示す。
【図７】フィルタ通過前後のパワーの差分の測定例を示す表である。
【図８】ＶＯＡの減衰率の制御処理の一例を示すフローチャートである。
【図９】フィルタ通過前後のパワーの比の測定例を示す表である。
【図１０】ＶＯＡの減衰率の制御処理の他例を示すフローチャートである。
【発明を実施するための形態】
【００１６】
図１は、ＲＯＡＤＭ装置の一例を示す構成図である。ＲＯＡＤＭ装置は、波長が異なる複数の光信号を波長多重し、波長多重光信号Ｓｍとして他装置との間で伝送する。なお、本実施例では、伝送装置の一例としてＲＯＡＤＭ装置を挙げるが、これに限定されない。
【００１７】
ＲＯＡＤＭ装置は、方路＃１，＃２ごとの光クロスコネクトユニット１ａ，１ｂと、中継ユニット２ａ，２ｂと、トランスポンダ（TP: Transponder）３とを有する。光クロスコネクトユニット１ａ，１ｂは、該当する方路＃１，＃２との間で波長多重光信号Ｓｍをそれぞれ送受信する。光クロスコネクトユニット１ａ，１ｂは、波長ごとに光信号を波長多重光信号Ｓｍに挿入（Add）し、または波長ごとに光信号を波長多重光信号Ｓｍから分岐（Drop）する波長選択スイッチ（WSS）１０が設けられている。なお、光クロスコネクトユニット１ａ，１ｂの詳細な構成は後述する。
【００１８】
ＴＰ３は、クライアント信号である特定の波長の光信号を、中継ユニット２ａ，２ｂを介して光クロスコネクトユニット１ａ，１ｂとの間で送受信する。中継ユニット２ａ，２ｂは、光信号の経路上に設けられたＥＤＦＡ２０を有する。ＥＤＦＡ２０は、例えばアレイ状に配置され、光信号を増幅する。
【００１９】
ＷＳＳ１０は、方路＃１，＃２から入力された波長多重光信号Ｓｍを波長単位、つまりチャネル単位に分離する。ＷＳＳ１０は、分離された光信号のうち、分岐対象の波長を選択して、該当する光信号を中継ユニット２ａ，２ｂを介してＴＰ３に出力する。このようにして、波長多重光信号Ｓｍから特定の波長の光信号が分岐される。
【００２０】
また、ＷＳＳ１０は、ＴＰ３から中継ユニット２ａ，２ｂを介して入力された光信号を波長多重光信号Ｓｍに多重して方路＃１，＃２に出力する。このようにして、波長多重光信号Ｓｍに特定の波長の光信号が挿入される。
【００２１】
異なる方路＃１，＃２の光クロスコネクトユニット１ａ，１ｂ同士の各ＷＳＳ１０は、複数の光ファイバを介して接続されている。また、光クロスコネクトユニット１ａ，１ｂの各ＷＳＳ１０は、複数の光ファイバを介して中継ユニット２ａ，２ｂと接続されている。この接続構成により、ＲＯＡＤＭ装置は、任意のＴＰ３の光信号を挿入及び分岐できる。
【００２２】
光クロスコネクトユニット１ａ，１ｂ及び中継ユニット２ａ，２ｂは、少なくともチャネルの最大数分の光ファイバを介して接続されている。また、本実施例では方路数は２つであるが、方路数が増加すれば、光クロスコネクトユニット１ａ，１ｂの数も増加するため、ＲＯＡＤＭ装置の内部は多数の光ファイバにより接続されることになる。
【００２３】
このため、ＲＯＡＤＭ装置の設置時または光信号回線の増設時、同一の、または異なる光クロスコネクトユニット１ａ，１ｂ間においてテスト光信号Ｓｘを送受信させることにより光ファイバの接続確認が行われる。このとき、受信側の光クロスコネクトユニット１ａ，１ｂは、ＷＳＳ１０に内蔵された可変光減衰器（ＶＯＡ）によりテスト光信号Ｓｘのパワーを、受信器のダイナミックレンジに応じた適切な値に調整する。
【００２４】
このように、光クロスコネクトユニット１ａ，１ｂは、送信部及び受信部の一例であり、テスト光信号Ｓｘを送信し、また、光ファイバを介して、テスト光信号Ｓｘを受信する。テスト光信号Ｓｘは、光信号の波長とは異なる所定波長λを有し、ＷＳＳ１０を介して送受信される。テスト光信号Ｓｘには、テスト光信号Ｓｘを識別するための信号ＩＤが含まれており、受信側の光クロスコネクトユニット１ａ，１ｂは、テスト光信号Ｓｘの信号ＩＤが期待値に一致した場合、光ファイバの接続が正常であると判定する。また、中継ユニット２ａ，２ｂは、増幅部の一例であり、光ファイバに接続され、テスト光信号Ｓｘを増幅する。
【００２５】
符号Ｒａ，Ｒｂに示されるように、光ファイバがＥＤＦＡ２０を経由する場合、ＥＤＦＡ２０から出力されるＡＳＥ光Ｓｎが受信側の光クロスコネクトユニット１ａ，１ｂに入力される。光ファイバＲａは、方路＃１の光クロスコネクトユニット１ａのＷＳＳ１０から中継ユニット２ａのＥＤＦＡ２０を経由して送信元のＷＳＳ１０に折り返すように接続されている。また、光ファイバＲｂは、方路＃１の光クロスコネクトユニット１ａのＷＳＳ１０から中継ユニット２ｂのＥＤＦＡ２０を経由して方路＃２の光クロスコネクトユニット１ｂのＷＳＳ１０に接続されている。
【００２６】
このため、受信側の光クロスコネクトユニット１ａ，１ｂは、テスト光信号Ｓｘが送信された場合（以下、「テスト状態」と表記）、テスト光信号ＳｘとＡＳＥ光Ｓｎを受信し、テスト光信号Ｓｘが送信されていない場合（以下、「通常状態」と表記）、ＡＳＥ光Ｓｎだけを受信する。
【００２７】
光ファイバＲａの接続確認を行う場合、送信側及び受信側の光クロスコネクトユニット１ａは同一ユニットであるため、光クロスコネクトユニット１ａは、テスト状態と通常状態の判別は可能である。
【００２８】
一方、光ファイバＲｂの接続確認を行う場合、送信側及び受信側の光クロスコネクトユニット１ａ，１ｂは別々のユニット、つまり実装基板の異なるユニットであるため、テスト状態と通常状態の判別は不可能である。この場合、受信側の光クロスコネクトユニット１ｂは、ＡＳＥ光Ｓｎをテスト光信号Ｓｘと誤認してパワー調整を行うことにより、テスト光信号Ｓｘの受信器を破損するおそれがあるため、下記の構成を備える。
【００２９】
図２は、光クロスコネクトユニット１ａ，１ｂの一例を示す構成図である。光クロスコネクトユニット１ａ，１ｂは、ＷＳＳ１０と、制御部１１と、入力パワー測定部１２と、出力パワー測定部１３と、差分検出部１４と、複数の光コネクタ１５と、複数のＰＤ（Photo Detector）１６と、入出力ポート１７とを有する。光クロスコネクトユニット１ａ，１ｂは、さらに、送信器１８と、受信器１９と、複数の分波部１６０と、接続状態判定部１９０とを有する。ＷＳＳ１０は、フィルタ１００及びＶＯＡ１０１を有する。
【００３０】
光コネクタ１５は、光ファイバを介して、他の光クロスコネクトユニット１ｂ，１ａまたは中継ユニット２ａ，２ｂと接続される。光クロスコネクトユニット１ａ，１ｂ内において、光コネクタ１５は、分波部１６０を介してＷＳＳ１０内のフィルタ１００に接続されている。光コネクタ１５は、少なくともチャネルの最大数分の数だけ設けられる。
【００３１】
フィルタ１００は、光コネクタ１５から入力された各チャネルの光信号を透過して、ＶＯＡ１０１に出力する。なお、フィルタ１００が透過する各チャネルの波長帯域は、制御部１１により設定される。
【００３２】
ＶＯＡ１０１は、チャネルごとに光信号を減衰させる。ＶＯＡ１０１により減衰した各光信号は、波長多重された後、波長多重光信号Ｓｍとして入出力ポートに出力される。なお、ＶＯＡ１０１のチャネルごとの減衰率は、制御部１１により設定される。
【００３３】
入出力ポート１７は、他装置との間で波長多重光信号Ｓｍが入出力される。ＶＯＡ１０１から入力された波長多重光信号Ｓｍは、入出力ポート１７から他装置に出力される。
【００３４】
また、入出力ポート１７から入力された波長多重光信号Ｓｍは、ＷＳＳ１０に入力されて、チャネルごとの光信号に分離される。分離された光信号は、ＶＯＡ１０１、フィルタ１００、及び光コネクタ１５を、この順に通過して他の光クロスコネクトユニット１ｂ，１ａに出力される。
【００３５】
光クロスコネクトユニット１ａ，１ｂは、テスト光信号Ｓｘを送信する送信側のユニット、及びテスト光信号Ｓｘを受信する受信側のユニットの何れとしても機能する。このため、ＷＳＳ１０には、テスト光信号Ｓｘを送信する送信器１８、及びテスト光信号Ｓｘを受信する受信器１９が接続されている。
【００３６】
送信器１８は、例えばＬＤ（Laser Diode）である。送信側の光クロスコネクトユニット１ａにおいて、送信器１８は、各チャネルの光信号とは異なる所定波長λのテスト光信号Ｓｘを生成して、ＷＳＳ１０に出力する（点線参照）。ＷＳＳ１０に入力されたテスト光信号Ｓｘは、ＶＯＡ１０１により減衰された後、フィルタ１００により透過される。このとき、制御部１１は、光ファイバによるテスト光信号Ｓｘのパワーの伝送損失に備えて、ＶＯＡ１０１の減衰率を例えば最低値に設定する。フィルタ１００を通過したテスト光信号Ｓｘは、光コネクタ１５の１つを介して受信側の光クロスコネクトユニット１ｂに出力される（点線参照）。
【００３７】
受信側の光クロスコネクトユニット１ｂは、上述したように、テスト状態ではテスト光信号ＳｘとＡＳＥ光Ｓｎを受信し、通常状態ではＡＳＥ光Ｓｎだけを受信する。したがって、以下の説明では、テスト状態及び通常状態の両方に適応するように、ＡＳＥ光Ｓｎ、またはテスト光信号ＳｘとＡＳＥ光Ｓｎの混在状態の光を「入力光」と表記する。
【００３８】
入力光は、光ファイバを介して、受信側の光クロスコネクトユニット１ｂの光コネクタ１５の１つから入力される。入力光は、分波部１６０により分波されて、ＷＳＳ１０及びＰＤ１６にそれぞれ入力される。分波部１６０としては、例えば光スプリッタが挙げられるが、これに限定されない。
【００３９】
ＰＤ１６は、入力光を例えば強度検波することにより、電気信号に変換して入力パワー測定部１２に出力する。入力パワー測定部１２は、第１測定部の一例であり、フィルタ１００による透過前の入力光のパワーＰｉｎを測定する。入力光のパワーＰｉｎは、制御部１１及び差分検出部１４に通知される。なお、ＰＤ１６及び分波部１６０は、光コネクタ１５と同数分だけ設けられる。
【００４０】
一方、ＷＳＳ１０に入力された入力光は、フィルタ１００に及びＶＯＡ１０１を通過する。フィルタ１００は、入力光のうち、テスト光信号Ｓｘと同じ波長λの帯域を有する光成分を透過する。
【００４１】
ＶＯＡ１０１は、フィルタ１００により透過された光成分を減衰させる。ＶＯＡ１０１を通過した光成分は、受信器１９に入力される。受信器１９は、例えばＰＤであり、テスト光信号Ｓｘを例えば強度検波することにより電気信号に変換し、接続状態判定部１９０及び出力パワー測定部１３に出力する。
【００４２】
接続状態判定部１９０は、テスト状態の場合、電気信号から信号ＩＤを抽出して、期待値と比較する。接続状態判定部１９０は、信号ＩＤと期待値が一致した場合、光ファイバの接続が正常であることを通知するため、正常通知を外部端末などに通知し、信号ＩＤと期待値が不一致である場合、光ファイバの接続が異常であることを通知するため、異常通知を外部端末などに通知する。
【００４３】
出力パワー測定部１３は、第２測定部の一例であり、電気信号を例えば強度検波することにより、ＶＯＡ１０１による減衰後の光成分のパワーＰｏｕｔを測定する。光成分のパワーＰｏｕｔは、制御部１１及び差分検出部１４に通知される。
【００４４】
制御部１１は、フィルタ１００の透過帯域及びＶＯＡ１０１の減衰率を制御する。制御部１１は、後述するように、テスト状態及び通常状態の判別手段を備える。
【００４５】
制御部１１は、テスト状態の場合、入力パワー測定部１２から通知されたパワーＰｉｎ及び出力パワー測定部１３から通知されたパワーＰｏｕｔに基づき、ＶＯＡ１０１の減衰率を制御する。このとき、制御部１１は、受信器１９に入力されるテスト光信号Ｓｘのパワーを、受信器１９のダイナミックレンジに応じた適切な値に調整する。これにより、接続状態判定部１９０は、テスト光信号Ｓｘから信号ＩＤを抽出できる。
【００４６】
図３は、光ファイバの接続確認方法の一例を示すフローチャートである。なお、本例では、図１の光ファイバＲｂの接続確認を行う場合を挙げて説明する。
【００４７】
まず、送信側の光クロスコネクトユニット１ａは、送信器１８から光ファイバＲｂを介してテスト光信号Ｓｘを送信する（ステップＳｔ１）。次に、中継ユニット２ｂのＥＤＦＡ２０は、テスト光信号Ｓｘを増幅する（ステップＳｔ２）。
【００４８】
次に、受信側の光クロスコネクトユニット１ｂは、光ファイバＲｂを介してテスト光信号Ｓｘを受信する（ステップＳｔ３）。より具体的には、テスト光信号Ｓｘは、光コネクタ１５から光クロスコネクトユニット１ｂ内に入力される。
【００４９】
次に、制御部１１は、ＶＯＡ１０１の減衰率を制御することにより、テスト光信号Ｓｘのパワーを調整する（ステップＳｔ４）。次に、接続状態判定部１９０は、テスト光信号Ｓｘから信号ＩＤを抽出する（ステップＳｔ５）。
【００５０】
次に、接続状態判定部１９０は、信号ＩＤが期待値と一致するか否かを判定する（ステップＳｔ６）。接続状態判定部１９０は、信号ＩＤと期待値が一致する場合（ステップＳｔ６のＹｅｓ）、正常通知を出力し（ステップＳｔ７）、信号ＩＤと期待値が不一致である場合（ステップＳｔ６のＮｏ）、異常通知を出力する（ステップＳｔ８）。このようにして、光ファイバの接続確認方法は実行される。
【００５１】
上記の接続確認方法において、仮に、制御部１１が、テスト状態及び通常状態の判別手段を備えていない場合、以下に述べるように、通常状態でもＡＳＥ光Ｓｎのパワーを調整するため、テスト光信号Ｓｘの入力時にテスト光信号Ｓｘにより受信器１９が破損するおそれがある。
【００５２】
図４（ａ）には、比較例におけるパワー調整前のＡＳＥ光Ｓｎの波長スペクトルの一例が示されている。図４（ａ）において、「［通過前］」は、ＡＳＥ光のＷＳＳ１０の通過前のスペクトル波形を示し、「［通過後］」は、ＡＳＥ光のＷＳＳ１０の通過後のスペクトル波形を示す。
【００５３】
また、符号ＡＴは、ＷＳＳ１０内のＶＯＡ１０１におけるテスト光信号Ｓｘのパワーの絞り込みの程度、つまりＷＳＳ１０内のＶＯＡ１０１の減衰率の逆数を表す。「基準値」は、受信器１９が受信する光のパワーの適正値を示し、「規格値」は、受信器１９が受信する光のパワーの限界値を示す。受信器１９は、規格値を超えるパワーの光を受信すると破損するおそれがある。
【００５４】
「通過後」の波形を参照すると理解されるように、ＡＳＥ光Ｓｎは、ＷＳＳ１０を通過すると、フィルタ１００により波長λの帯域を有する光成分だけが透過される。また、ＡＳＥ光Ｓｎは、ＶＯＡ１０１の減衰率が最大値に設定されているため、通過後のパワーが通過前より低下する。
【００５５】
また、図４（ｂ）には、比較例におけるパワー調整後のＡＳＥ光Ｓｎの波長スペクトルの一例が示されている。なお、図４（ｂ）中の符号及び表記の意味は、図４（ａ）のものと同様である。
【００５６】
制御部１１は、ＡＳＥ光Ｓｎだけを受信している場合（つまり、通常状態）でも、テスト光信号Ｓｘと同様に、ＡＳＥ光Ｓｎを適切なパワーに調整する。このとき、ＡＳＥ光Ｓｎのパワーはテスト光信号Ｓｘより低いため、ＶＯＡ１０１の減衰率は、符号ＡＴで示されるように、テスト光信号Ｓｘのパワー調整の場合より低い値に制御される。例えば、ＶＯＡ１０１の減衰率は最低値に制御される。
【００５７】
このため、通過後のＡＳＥ光Ｓｎのパワーは、パワー調整前（図４（ａ）の場合）より大きい。なお、ＡＳＥ光Ｓｎのパワーは、元々テスト光信号Ｓｘのパワーより低いため、受信器１９の基準値に達していない。
【００５８】
図４（ｃ）には、比較例におけるテスト光信号Ｓｘの入力時のＡＳＥ光Ｓｎ及びテスト光信号Ｓｘの波長スペクトルの一例が示されている。より具体的には、図４（ｃ）は、図４（ｂ）の状態において、テスト光信号Ｓｘが入力された場合（つまり、テスト状態）の波長スペクトルを示す。なお、図４（ｃ）中の符号及び表記の意味は、図４（ａ）のものと同様である。
【００５９】
テスト光信号Ｓｘは、所定波長λの波長帯域を有し、ＡＳＥ光Ｓｎと混在した状態でＷＳＳ１０を通過する。このとき、ＷＳＳ１０内のＶＯＡ１０１の減衰率は、図４（ｂ）と同様に最低値に設定されている。
【００６０】
このため、テスト光信号Ｓｘは、ほとんど減衰することなく、受信器１９に入力される。これにより、受信器１９には、符号ｐで示されるように、基準値だけでなく、規格値を超える大きなパワーのテスト光信号Ｓｘが入力されるため、受信器１９が破損するおそれがある。
【００６１】
このように、比較例の制御部１１は、テスト状態と通常状態の判別ができないため、ＡＳＥ光Ｓｎのみが入力されたとき、ＡＳＥ光Ｓｎの低いパワーに基づきＶＯＡ１０１の減衰率を最低値まで低下させる。この状態でテスト光信号Ｓｘが入力されると、テスト光信号Ｓｘのパワーは、ＡＳＥ光Ｓｎのパワーより高いため、十分に減衰されないまま、受信器１９に入力される。このため、受信器１９には、規格値を超えるパワーのテスト光信号Ｓｘが入力されるため、受信器１９の破損のおそれがある。
【００６２】
これに対して、図１において、送信側の光クロスコネクトユニット１ａから受信側の光クロスコネクトユニット１ｂにテスト光信号Ｓｘの送信タイミングを通知すれば、受信側の光クロスコネクトユニット１ｂは、通知に応じてＶＯＡ１０１の減衰率を予め増加させることができるため、上記の問題は回避できる。しかし、この場合、光クロスコネクトユニット１ａ，１ｂの間に新たな制御手段を設ける必要が生ずるため、ＲＯＡＤＭ装置のコスト及び規模が増加する。
【００６３】
また、図２に示されるように、例えば受信側の光クロスコネクトユニット１ｂに光チャネルモニタＣｍを設ければ、波長単位のチャネルごとにパワーを監視し、監視結果に基づきテスト光信号Ｓｘの有無を判定することができるため、上記の問題は回避できる。しかし、光チャネルモニタＣｍは、大型であるだけでなく、高価であるため、ＲＯＡＤＭ装置のコスト及びサイズが増加する。
【００６４】
そこで、実施例では、フィルタ１００とＶＯＡ１０１を通過する前後の入力光のパワーＰｉｎ，Ｐｏｕｔの差分を測定し、差分が所定の閾値より大きい場合、ＶＯＡ１０１の減衰率を増加させることで、受信器１９の破損を防止する。この構成について、再び図２を参照して説明する。
【００６５】
差分検出部１４は、ＷＳＳ１０を通過する前後の入力光の各パワーの差分を検出する。より具体的には、差分検出部１４は、検出部の一例であり、入力パワー測定部１２及び出力パワー測定部１３により測定された各パワーＰｉｎ，Ｐｏｕｔの差分ΔＰ（＝Ｐｉｎ−Ｐｏｕｔ）を検出する。
【００６６】
差分検出部１４は、検出した差分ΔＰを制御部１１に通知する。なお、差分検出部１４は、後述するように、入力パワー測定部１２により測定されたパワーＰｉｎに対する出力パワー測定部１３により測定されたパワーＰｏｕｔの比Ｐｒを検出して、制御部１１に通知してもよい。まず、差分ΔＰの場合について説明する。
【００６７】
制御部１１は、差分検出部１４から通知された差分ΔＰに基づき、通常状態及びテスト状態を判別する。制御部１１は、差分ΔＰが所定の閾値Ｐｔｈ以上である場合、送信側の光クロスコネクトユニット１ａが通常状態であると判定し、差分ΔＰが所定の閾値Ｐｔｈより小さい場合、送信側の光クロスコネクトユニット１ａがテスト状態であると判定する。
【００６８】
制御部１１は、通常状態の場合、ＶＯＡ１０１の減衰率を増加させる。これにより、テスト光信号Ｓｘが入力されたときのＶＯＡ１０１の減衰率を高い値とすることができるため、テスト光信号Ｓｘは十分に減衰された後、受信器１９に入力される。したがって、テスト光信号Ｓｘのパワーは受信器１９の規格値より低い値となるため、受信器１９が破損することはない。
【００６９】
一方、テスト状態の場合、制御部１１は、出力パワー測定部１３により測定されたパワーＰｏｕｔが所定値となるようにＶＯＡ１０１の減衰率を制御する。これにより、制御部１１は、テスト光信号Ｓｘのパワーを、受信器１９のダイナミックレンジに応じた適正値に調整できる。
【００７０】
このように、制御部１１は、差分ΔＰと閾値Ｐｔｈを比較し、その比較結果に基づき、テスト状態及び通常状態を判別する。この判別手段の詳細を以下に述べる。
【００７１】
まず、通常状態に関して、図５（ａ）及び図５（ｂ）には、フィルタ１００の通過前後のＡＳＥ光Ｓｎの波長スペクトルの一例がそれぞれ示されている。図５（ａ）及び図５（ｂ）を比べると理解されるように、フィルタ１００は、ＡＳＥ光Ｓｎのうち、テスト光信号Ｓｘの波長λの帯域を有する光成分を透過する。また、通過後のＡＳＥ光Ｓｎのパワーは、ＶＯＡ１０１による減衰のために低下する。
【００７２】
図５（ｃ）は、フィルタ１００の通過前後のＡＳＥ光Ｓｎのパワーの差分ΔＰの一例が示されている。図５（ｃ）の斜線部分は、フィルタ１００の通過前後のＡＳＥ光Ｓｎのパワーの差分ΔＰを表す。フィルタ１００は、ＡＳＥ光Ｓｎのうち、波長λの帯域を有する光成分を透過するため、フィルタ１００の通過前後でＡＳＥ光Ｓｎのパワーに差分ΔＰが生ずる。
【００７３】
次に、テスト状態に関して、図６（ａ）及び図６（ｂ）には、フィルタ１００の通過前後のＡＳＥ光Ｓｎ及びテスト光信号Ｓｘの波長スペクトルの一例がそれぞれ示されている。テスト光信号Ｓｘは、ＡＳＥ光Ｓｎと混在した状態でフィルタ１００に入力される。
【００７４】
図６（ａ）及び図６（ｂ）を比べると理解されるように、フィルタ１００は、ＡＳＥ光Ｓｎのうち、テスト光信号Ｓｘの波長λの帯域を有する光成分を透過する。また、通過後のＡＳＥ光Ｓｎのパワーは、ＶＯＡ１０１による減衰のために低下する。
【００７５】
また、テスト光信号Ｓｘは、フィルタ１００の透過帯域である波長λの帯域を有するため、ＡＳＥ光Ｓｎとは異なり、帯域を削られることはない。また、通過後のテスト光信号Ｓｘは、ＶＯＡ１０１による減衰のために低下する。
【００７６】
図６（ｃ）には、フィルタ１００の通過前後のＡＳＥ光Ｓｎ及びテスト光信号Ｓｘのパワーの差分の一例が示されている。図６（ｃ）の斜線部分は、フィルタ１００の通過前後のＡＳＥ光Ｓｎのパワーの差分ΔＰを表す。フィルタ１００は、ＡＳＥ光Ｓｎのうち、波長λの帯域を有する光成分を透過するため、フィルタ１００の通過前後でＡＳＥ光Ｓｎのパワーに差分ΔＰが生ずる。しかし、テスト光信号Ｓｘが帯域を削られることなくフィルタ１００を通過するため、その差分ΔＰは、通常状態の場合より小さい。以下に測定例を示す。
【００７７】
図７には、フィルタ１００の通過前後のパワーの差分ΔＰの測定例が示されている。通常状態の場合（「ＡＳＥ光」欄を参照）、入力パワー測定部１２が測定したパワーＰｉｎは３（ｄＢｍ）であり、出力パワー測定部１３が測定したパワーＰｏｕｔは−２５．７（ｄＢｍ）である。したがって、パワーＰｉｎ，Ｐｏｕｔの差分ΔＰは２８．７（ｄＢｍ）となる。
【００７８】
テスト状態の場合（「ＡＳＥ光＋テスト光信号」欄を参照）、入力パワー測定部１２が測定したパワーＰｉｎは３．２（ｄＢｍ）であり、出力パワー測定部１３が測定したパワーＰｏｕｔは−８．７（ｄＢｍ）である。したがって、パワーＰｉｎ，Ｐｏｕｔの差分ΔＰは１１．９（ｄＢｍ）となる。
【００７９】
このように、テスト状態におけるパワーＰｉｎ，Ｐｏｕｔの差分ΔＰは、通常状態におけるパワーＰｉｎ，Ｐｏｕｔの差分ΔＰより大きい。したがって、本例では、例えば閾値Ｐｔｈを２０（ｄＢｍ）と設定することにより、制御部１１は、ΔＰ≦２０（ｄＢｍ）の場合、送信側の光クロスコネクトユニット１ａがテスト状態であると判定できる。一方、ΔＰ＞２０（ｄＢｍ）の場合、制御部１１は、送信側の光クロスコネクトユニット１ａが通常状態であると判定できる。
【００８０】
このように、制御部１１は、パワーＰｉｎ，Ｐｏｕｔの差分ΔＰに基づきテスト状態及び通常状態を判別する。制御部１１は、判別の結果に応じてＶＯＡ１０１を制御することにより、テスト光信号Ｓｘによる受信器１９の破損を防止する。
【００８１】
図８は、ＶＯＡ１０１の減衰率の制御処理の一例を示すフローチャートである。まず、入力パワー測定部１２は、光ファイバからの入力光のフィルタ１００による透過前のパワーＰｉｎを測定する（ステップＳｔ１１）。
【００８２】
次に、光ファイバからの入力光が、フィルタ１００に入力される（ステップＳｔ１２）。これにより、入力光のうち、テスト光信号Ｓｘと同じ所定波長λの帯域を有する光成分が透過される。
【００８３】
次に、透過された光成分は、ＶＯＡ１０１に入力される（ステップＳｔ１３）。これにより、光成分は減衰する。
【００８４】
次に、出力パワー測定部１３は、ＶＯＡ１０１による減衰後の光成分のパワーＰｏｕｔを測定する（ステップＳｔ１４）。本実施例では、出力パワー測定部１３は、受信器１９で受信される光成分（ＡＳＥ光Ｓｎ、またはＡＳＥ光Ｓｎ＋テスト光信号Ｓｘ）のパワーＰｏｕｔを測定する。
【００８５】
次に、差分検出部１４は、測定された各パワーＰｉｎ，Ｐｏｕｔの差分ΔＰを検出する（ステップＳｔ１５）。このとき、差分検出部１４は、差分ΔＰを制御部１１に通知する。
【００８６】
次に、制御部１１は、差分ΔＰを所定の閾値Ｐｔｈと比較する（ステップＳｔ１６）。このとき、差分ΔＰはＶＯＡ１０１の減衰率により変動するため、制御部１１は、ＶＯＡ１０１の減衰率に応じて閾値Ｐｔｈを設定してもよい。
【００８７】
制御部１１は、ΔＰ＜Ｐｔｈの場合（ステップＳｔ１６のＮｏ）、ＶＯＡ１０１の減衰率を制御することにより、テスト光信号Ｓｘのパワーを調整する（ステップＳｔ１７）。より具体的には、制御部１１は、通常状態の場合、出力パワー測定部１３により測定されたパワーＰｏｕｔが受信器１９の基準値となるようにＶＯＡ１０１の減衰率を制御する。
【００８８】
これにより、制御部１１は、テスト光信号Ｓｘのパワーを、受信器１９のダイナミックレンジに応じた適正値に調整できる。なお、本処理は、図３のステップＳｔ４の処理に相当する。
【００８９】
また、制御部１１は、ΔＰ≧Ｐｔｈの場合（ステップＳｔ１６のＹｅｓ）、ＶＯＡ１０１の減衰率が最大値であるか否かを判定する（ステップＳｔ１８）。制御部１１は、ＶＯＡ１０１の減衰率が最大値ではない場合（ステップＳｔ１８のＮｏ）、ＶＯＡ１０１の減衰率を増加させる（ステップＳｔ１９）。なお、減衰率の増加量は、例えばテスト光信号Ｓｘのパワーに基づき決定される。
【００９０】
これにより、テスト光信号Ｓｘが入力されたときのＶＯＡ１０１の減衰率を高い値とすることができるため、テスト光信号Ｓｘは十分に減衰された後、受信器１９に入力される。したがって、テスト光信号Ｓｘのパワーは受信器１９の規格値より低い値となるため、受信器１９が破損することはない。
【００９１】
また、制御部１１は、ＶＯＡ１０１の減衰率が最大値である場合（ステップＳｔ１８のＹｅｓ）、減衰率を増加させることができないため、処理を終了する。この場合も、テスト光信号Ｓｘは十分に減衰された後、受信器１９に入力されるため、受信器１９の破損が防止される。このようにして、ＶＯＡ１０１の減衰率の制御処理は行われる。
【００９２】
本実施例において、制御部１１は、パワーＰｉｎ，Ｐｏｕｔの差分ΔＰに基づきテスト状態及び通常状態を判別するが、パワーＰｉｎ，Ｐｏｕｔの比Ｐｒに基づきテスト状態及び通常状態を判別してもよい。この場合、図２の差分検出部１４は、差分ΔＰに代えて、入力パワー測定部１２により測定されたパワーＰｉｎに対する出力パワー測定部１３により測定されたパワーＰｏｕｔの比Ｐｒを検出する。差分検出部１４は、比Ｐｒを制御部１１に通知する。
【００９３】
制御部１１は、比Ｐｒが所定の閾値Ｐｔｈ’以下である場合、ＶＯＡ１０１の減衰率を増加させる。このため、テスト光信号Ｓｘは十分に減衰された後、受信器１９に入力されるため、受信器１９の破損が防止される。
【００９４】
また、制御部１１は、比Ｐｒが所定の閾値Ｐｔｈ’より小さい場合、出力パワー測定部１３により測定されたパワーＰｏｕｔが受信器１９の基準値となるようにＶＯＡ１０１の減衰率を制御する。このため、制御部１１は、テスト光信号Ｓｘのパワーを、受信器１９のダイナミックレンジに応じた適正値に調整できる。
【００９５】
図９には、フィルタ１００の通過前後のパワーＰｉｎ，Ｐｏｕｔの比Ｐｒの測定例が示されている。なお、図９において、パワーＰｉｎ，Ｐｏｕｔは図７の例と同一の値である。
【００９６】
Ｐｒ＝（Ｐｏｕｔ’／Ｐｉｎ’）×１００   ・・・（１）
【００９７】
比Ｐｒは、上記の式（１）により算出される。数値Ｐｉｎ’，Ｐｏｕｔ’は、パワーＰｉｎ，Ｐｏｕｔをそれぞれワット（Ｗ）単位に換算したものである。式（１）によると、通常状態の場合（「ＡＳＥ光」欄を参照）、Ｐｒ＝０．１３４８９６（％）であり、テスト状態の場合、Ｐｒ＝６．４５６５４２（％）となる。
【００９８】
このように、テスト状態におけるパワーＰｉｎ，Ｐｏｕｔの比Ｐｒは、通常状態におけるパワーＰｉｎ，Ｐｏｕｔの比Ｐｒより大きい。したがって、本例では、例えば閾値Ｐｔｈ’を１（％）と設定することにより、制御部１１は、Ｐｒ＞１（％）の場合、送信側の光クロスコネクトユニット１ａがテスト状態であると判定できる。一方、Ｐｒ≦１（％）の場合、制御部１１は、送信側の光クロスコネクトユニット１ａが通常状態であると判定できる。
【００９９】
このように、制御部１１は、パワーＰｉｎ，Ｐｏｕｔの差分ΔＰを用いる場合と同様に、比Ｐｒに基づきテスト状態及び通常状態を判別する。制御部１１は、判別の結果に応じてＶＯＡ１０１を制御することにより、テスト光信号Ｓｘによる受信器１９の破損を防止する。
【０１００】
図１０は、ＶＯＡ１０１の減衰率の制御処理の他例を示すフローチャートである。なお、図１０において、図８と共通する処理については同一の符号を付し、その説明を省略する。
【０１０１】
パワーＰｉｎ，Ｐｏｕｔの測定後、差分検出部１４は、パワーＰｉｎに対するパワーＰｏｕｔの比Ｐｒを検出する（ステップＳｔ１５ａ）。このとき、差分検出部１４は、比Ｐｒを制御部１１に通知する。
【０１０２】
次に、制御部１１は、比Ｐｒを所定の閾値Ｐｔｈ’と比較する（ステップＳｔ１６ａ）。このとき、比ＰｒはＶＯＡ１０１の減衰率により変動するため、制御部１１は、ＶＯＡ１０１の減衰率に応じて閾値Ｐｔｈ’を設定してもよい。
【０１０３】
制御部１１は、Ｐｒ＞Ｐｔｈ’の場合（ステップＳｔ１６ａのＮｏ）、ＶＯＡ１０１の減衰率を制御することにより、テスト光信号Ｓｘのパワーを調整する（ステップＳｔ１７）。より具体的には、制御部１１は、通常状態の場合、出力パワー測定部１３により測定されたパワーＰｏｕｔが受信器１９の基準値となるようにＶＯＡ１０１の減衰率を制御する。
【０１０４】
これにより、制御部１１は、テスト光信号Ｓｘのパワーを、受信器１９のダイナミックレンジに応じた適正値に調整できる。なお、本処理は、図３のステップＳｔ４の処理に相当する。
【０１０５】
また、制御部１１は、Ｐｒ≦Ｐｔｈ’の場合（ステップＳｔ１６ａのＹｅｓ）、ＶＯＡ１０１の減衰率が最大値であるか否かを判定する（ステップＳｔ１８）。制御部１１は、ＶＯＡ１０１の減衰率が最大値ではない場合（ステップＳｔ１８のＮｏ）、ＶＯＡ１０１の減衰率を増加させる（ステップＳｔ１９）。なお、減衰率の増加量は、例えばテスト光信号Ｓｘのパワーに基づき決定される。
【０１０６】
これにより、テスト光信号Ｓｘが入力されたときのＶＯＡ１０１の減衰率を高い値とすることができるため、テスト光信号Ｓｘは十分に減衰された後、受信器１９に入力される。したがって、テスト光信号Ｓｘのパワーは受信器１９の規格値より低い値となるため、受信器１９が破損することはない。
【０１０７】
また、制御部１１は、ＶＯＡ１０１の減衰率が最大値である場合（ステップＳｔ１８のＹｅｓ）、減衰率を増加させることができないため、処理を終了する。この場合も、テスト光信号Ｓｘは十分に減衰された後、受信器１９に入力されるため、受信器１９の破損が防止される。このようにして、ＶＯＡ１０１の減衰率の制御処理は行われる。
【０１０８】
なお、本実施例では、制御部１１は、パワーＰｉｎに対するパワーＰｏｕｔの比Ｐｒに基づき、テスト状態及び通常状態を判別したが、パワーＰｏｕｔに対するパワーＰｉｎの比Ｐｒに基づき、テスト状態及び通常状態を判別してもよい。この場合、制御部１１は、Ｐｒ≦Ｐｔｈ’のとき、テスト光信号Ｓｘのパワー調整を行い、Ｐｒ＞Ｐｔｈ’のとき、減衰率を増加させる。
【０１０９】
これまで述べたように、実施例に係るＲＯＡＤＭ装置は、伝送装置の一例であり、送信側の光クロスコネクトユニット１ａと、受信側の光クロスコネクトユニット１ｂとを有する。送信側の光クロスコネクトユニット１ａは、所定波長λのテスト光信号Ｓｘを送信する。受信側の光クロスコネクトユニット１ｂは、送信側の光クロスコネクトユニット１ａから光ファイバＲｂを介して、テスト光信号Ｓｘを受信する。
【０１１０】
受信側の光クロスコネクトユニット１ｂは、フィルタ１００と、ＶＯＡ１０１と、入力パワー測定部１２と、出力パワー測定部１３と、差分検出部１４と、制御部１１とを有する。フィルタ１００は、光ファイバＲｂから入力された入力光のうち、所定波長λの帯域を有する光成分を透過する。ＶＯＡ１０１は、光成分を減衰させる。
【０１１１】
入力パワー測定部１２は、フィルタ１００による透過前の入力光のパワーＰｉｎを測定する。出力パワー測定部１３は、ＶＯＡ１０１による減衰後の光成分のパワーＰｏｕｔを測定する。
【０１１２】
差分検出部１４は、入力パワー測定部１２及び出力パワー測定部１３により測定された各パワーＰｉｎ，Ｐｏｕｔの差分ΔＰを検出する。制御部１１は、差分ΔＰが所定の閾値Ｐｔｈ以上である場合、ＶＯＡ１０１の減衰率を増加させる。
【０１１３】
上記の構成によると、制御部１１は、入力パワー測定部１２及び出力パワー測定部１３により測定された各パワーＰｉｎ，Ｐｏｕｔの差分ΔＰに基づき、テスト光信号Ｓｘの有無を判別できる。このため、テスト光信号Ｓｘが入力されたときのＶＯＡ１０１の減衰率を高い値とすることにより、テスト光信号Ｓｘは十分に減衰された後、受信器１９に入力される。したがって、テスト光信号Ｓｘのパワーは受信器１９の規格値より低い値となるため、受信器１９が破損することはない。
【０１１４】
また、他の実施例に係るＲＯＡＤＭ装置は、伝送装置の一例であり、送信側の光クロスコネクトユニット１ａと、受信側の光クロスコネクトユニット１ｂとを有する。送信側の光クロスコネクトユニット１ａは、所定波長λのテスト光信号Ｓｘを送信する。受信側の光クロスコネクトユニット１ｂは、送信側の光クロスコネクトユニット１ａから光ファイバＲｂを介して、テスト光信号Ｓｘを受信する。
【０１１５】
受信側の光クロスコネクトユニット１ｂは、フィルタ１００と、ＶＯＡ１０１と、入力パワー測定部１２と、出力パワー測定部１３と、差分検出部１４と、制御部１１とを有する。フィルタ１００は、光ファイバＲｂから入力された入力光のうち、所定波長λの帯域を有する光成分を透過する。ＶＯＡ１０１は、光成分を減衰させる。
【０１１６】
入力パワー測定部１２は、フィルタ１００による透過前の入力光のパワーＰｉｎを測定する。出力パワー測定部１３は、ＶＯＡ１０１による減衰後の光成分のパワーＰｏｕｔを測定する。
【０１１７】
差分検出部１４は、入力パワー測定部１２により測定されたパワーＰｉｎに対する出力パワー測定部１３により測定されたパワーＰｏｕｔの比Ｐｒを検出する。制御部１１は、比Ｐｒが所定の閾値Ｐｔｈ’以下である場合、ＶＯＡ１０１の減衰率を増加させる。
【０１１８】
上記の構成によると、制御部１１は、入力パワー測定部１２及び出力パワー測定部１３により測定された各パワーＰｉｎ，Ｐｏｕｔの比Ｐｒに基づき、テスト光信号Ｓｘの有無を判別できるため、上述した内容と同様の作用効果を奏する。
【０１１９】
また、実施例に係る光ファイバの接続確認方法は、送信側の光クロスコネクトユニット１ａから所定波長λのテスト光信号Ｓｘを、光ファイバＲｂを介して送信し、受信側の光クロスコネクトユニット１ｂで受信する方法である。
【０１２０】
受信側の光クロスコネクトユニット１ｂは、光ファイバから入力された入力光のうち、所定波長λの帯域を有する光成分を、フィルタ１００により透過し、ＶＯＡ１０１により前記光成分を減衰させる。また、受信側の光クロスコネクトユニット１ｂは、フィルタ１００による透過前の入力光のパワーＰｉｎを測定し、ＶＯＡ１０１による減衰後の光成分のパワーを測定し、測定した各パワーＰｉｎ，Ｐｏｕｔの差分ΔＰを検出する。また、受信側の光クロスコネクトユニット１ｂは、差分ΔＰが所定の閾値Ｐｔｈ以上である場合、ＶＯＡ１０１の減衰率を増加させる。
【０１２１】
実施例に係る光ファイバの接続確認方法は、上記のＲＯＡＤＭ装置と同様の構成を含むので、上述した内容と同様の作用効果を奏する。
【０１２２】
上述した実施形態は本発明の好適な実施の例である。但し、これに限定されるものではなく、本発明の要旨を逸脱しない範囲内において種々変形実施可能である。
【０１２３】
なお、以上の説明に関して更に以下の付記を開示する。
（付記１）  所定波長のテスト光信号を送信する送信部と、
前記送信部から光ファイバを介して、前記テスト光信号を受信する受信部とを有し、
前記受信部は、
前記光ファイバから入力された光のうち、前記所定波長の帯域を有する光成分を透過するフィルタと、
前記光成分を減衰させる可変光減衰器と、
前記フィルタによる透過前の光のパワーを測定する第１測定部と、
前記可変光減衰器による減衰後の前記光成分のパワーを測定する第２測定部と、
前記第１測定部及び前記第２測定部により測定された各パワーの差分を検出する検出部と、
前記差分が所定の閾値以上である場合、前記可変光減衰器の減衰率を増加させる制御部とを有することを特徴とする伝送装置。
（付記２）  前記制御部は、前記差分が前記所定の閾値より小さい場合、前記第２測定部により測定されたパワーが所定値となるように前記可変光減衰器の減衰率を制御することを特徴とする付記１に記載の伝送装置。
（付記３）  所定波長のテスト光信号を送信する送信部と、
前記送信部から光ファイバを介して、前記テスト光信号を受信する受信部とを有し、
前記受信部は、
前記光ファイバから入力された光のうち、前記所定波長の帯域を有する光成分を透過するフィルタと、
前記光成分を減衰させる可変光減衰器と、
前記フィルタによる透過前の光のパワーを測定する第１測定部と、
前記可変光減衰器による減衰後の前記光成分のパワーを測定する第２測定部と、
前記第１測定部により測定されたパワーに対する前記第２測定部により測定されたパワーの比を検出する検出部と、
前記比が所定の閾値以下である場合、前記可変光減衰器の減衰率を増加させる制御部とを有することを特徴とする伝送装置。
（付記４）  前記制御部は、前記比が前記所定の閾値より大きい場合、前記第２測定部により測定されたパワーが所定値となるように前記可変光減衰器の減衰率を制御することを特徴とする付記３に記載の伝送装置。
（付記５）  送信部から所定波長のテスト光信号を、光ファイバを介して送信し、受信部で受信する光ファイバの接続確認方法において、
前記受信部は、
前記光ファイバから入力された光のうち、前記所定波長の帯域を有する光成分を、フィルタにより透過し、
可変光減衰器により前記光成分を減衰させ、
前記フィルタによる透過前の光のパワーを測定し、
前記可変光減衰器による減衰後の前記光成分のパワーを測定し、
測定した各パワーの差分を検出し、
前記差分が所定の閾値以上である場合、前記可変光減衰器の減衰率を増加させることを特徴とする光ファイバの接続確認方法。
（付記６）  前記受信部は、前記差分が前記所定の閾値より小さい場合、減衰後の前記光成分のパワーが所定値となるように前記可変光減衰器の減衰率を制御することを特徴とする付記５に記載の光ファイバの接続確認方法。
（付記７）  送信部から所定波長のテスト光信号を、光ファイバを介して送信し、受信部で受信する光ファイバの接続確認方法において、
前記受信部は、
前記光ファイバから入力された光のうち、前記所定波長の帯域を有する光成分を、フィルタにより透過し、
可変光減衰器により前記光成分を減衰させ、
前記フィルタによる透過前の光のパワーを測定し、
前記可変光減衰器による減衰後の前記光成分のパワーを測定し、
前記フィルタによる透過前の光のパワーに対する前記可変光減衰器による減衰後の前記光成分のパワーの比を検出し、
前記比が所定の閾値以下である場合、前記可変光減衰器の減衰率を増加させることを特徴とする光ファイバの接続確認方法。
（付記８）  前記受信部は、前記比が前記所定の閾値より大きい場合、減衰後の前記光成分のパワーが所定値となるように前記可変光減衰器の減衰率を制御することを特徴とする付記７に記載の光ファイバの接続確認方法。
【符号の説明】
【０１２４】
１ａ，１ｂ     光クロスコネクトユニット
１０      波長選択スイッチ
１１      制御部
１２      入力パワー測定部
１３      出力パワー測定部
１４      差分検出部
１８      送信器
１９      受信器
１００     フィルタ
１０１     可変光減衰器
【図１】
2017073739.tif 000003
【図２】
2017073739.tif 000004
【図３】
2017073739.tif 000005
【図４】
2017073739.tif 000006
【図５】
2017073739.tif 000007
【図６】
2017073739.tif 000008
【図７】
2017073739.tif 000009
【図８】
2017073739.tif 000010
【図９】
2017073739.tif 000011
【図１０】
2017073739.tif 000012